(57)【要約】【課題】フィット性が高い吸収性物品に関する。【解決手段】吸収性物品は、液透過性の表面シートと、裏面シートと、吸収性コアを有し上記表面シート及び上記裏面シートの間に配置された吸収体と、を備え、着用者の前後方向に対応する縦方向及び上記縦方向に直交する横方向を有する。上記吸収性コアは、上記縦方向の両端部側に位置する前方コア部及び後方コア部と、上記前方コア部及び上記後方コア部の間に位置し、上記前方コア部及び上記後方コア部よりも幅の狭い中間コア部と、を有する。上記中間コア部は、上記横方向中央に位置し、上記裏面シート側に突出する高坪量部と、上記高坪量部より低い坪量を有し上記高坪量部の上記横方向側部に形成された低坪量部と、を含む。【選択図】図５
2019209120.tif 000002
【特許請求の範囲】
【請求項１】
液透過性の表面シートと、裏面シートと、吸収性コアを有し前記表面シート及び前記裏面シートの間に配置された吸収体と、を備え、着用者の前後方向に対応する縦方向及び前記縦方向に直交する横方向を有する吸収性物品であって、
前記吸収性コアは、
前記縦方向の両端部側に位置する前方コア部及び後方コア部と、
前記前方コア部及び前記後方コア部の間に位置し、前記前方コア部及び前記後方コア部よりも幅の狭い中間コア部と、を有し、
前記中間コア部は、
前記横方向中央に位置し、前記裏面シート側に突出する高坪量部と、
前記高坪量部より低い坪量を有し前記高坪量部の前記横方向側部に形成された低坪量部と、を含む
吸収性物品。
【請求項２】
前記高坪量部は、
前記縦方向の先端に向かって幅が漸減する後方端部を含む
請求項１に記載の吸収性物品。
【請求項３】
前記高坪量部は、前記中間コア部の全長にわたって形成され、
前記後方コア部は、前記中間コア部に隣接して形成され、前記縦方向後方へ向かって幅寸法が漸増するテーパ領域を含む
請求項１又は２に記載の吸収性物品。
【請求項４】
前記吸収体は、
前記吸収性コアを被覆するコア被覆部と、前記低坪量部の前記横方向外方へ延出する延出部と、を含むコアラップシートをさらに有する
請求項１ないし３のいずれか一項に記載の吸収性物品。
【請求項５】
前記吸収性コアは、
前記後方コア部の前記横方向中央部に形成され、前記縦方向に延びる低坪量の縦溝部をさらに有する
請求項１ないし４のいずれか一項に記載の吸収性物品。
【請求項６】
前記吸収性コアは、
前記中間コア部と前記後方コア部との境界部に形成され、前記横方向に延びる低坪量の境界溝部をさらに有する
請求項１ないし５のいずれか一項に記載の吸収性物品。
【請求項７】
前記吸収性物品は、
前記横方向周縁部に設けられ、前記縦方向に延びる一対の立体ガードをさらに備え、
前記一対の立体ガードは、
前記吸収性物品の厚み方向に起立可能に構成された起立領域と、
前記起立領域の後方に形成された非起立領域と、を有し、
前記吸収性コアは、
前記後方コア部に形成され、前記縦溝部と交差して前記横方向にそれぞれ延びる低坪量の複数の横溝部をさらに有し、
前記複数の横溝部は、
前記一対の立体ガード各々の前記起立領域の対向領域に延在する前方の横溝部と、
前記一対の立体ガード各々の前記非起立領域の対向領域に延在する後方の横溝部と、に区分される
請求項５又は６に記載の吸収性物品。
【発明の詳細な説明】
【技術分野】
【０００１】
本発明は、生理用ナプキン等の吸収性物品に関する。
【背景技術】
【０００２】
生理用ナプキン等のように、下着の内側に配して使用するタイプの吸収性物品は、経血等の液状物を吸収するための吸収体を備えている。吸収体は、当該液状物を吸収し拡散する吸収性コアのほか、当該吸収性コアを被覆するコアラップシート等を有する。例えば特許文献１には、装着者の排泄領域に対向する吸収性コアの中央領域に、排泄領域に対するフィット性を高めるための突出部が設けられた吸収性物品が開示されている。
【先行技術文献】
【特許文献】
【０００３】
【特許文献１】特開２０１４−１０４０９３号公報
【発明の概要】
【発明が解決しようとする課題】
【０００４】
吸収性物品の着用時には、当該吸収性物品に対し、着用者から多様な外力が付加される。例えば、吸収性物品の中間部には、着用者の左右の脚から横方向の外力が付加される。また、吸収性物品の表面シート側には、着用者からの厚み方向の圧力が付加される。したがって、これらの外力を受けた場合にも、高いフィット性を維持できるような吸収性物品が求められている。
【０００５】
本発明の課題は、フィット性が高い吸収性物品に関する。
【課題を解決するための手段】
【０００６】
本発明の一形態に係る吸収性物品は、
液透過性の表面シートと、裏面シートと、吸収性コアを有し上記表面シート及び上記裏面シートの間に配置された吸収体と、を備え、着用者の前後方向に対応する縦方向及び上記縦方向に直交する横方向を有する。
上記吸収性コアは、上記縦方向の両端部側に位置する前方コア部及び後方コア部と、上記前方コア部及び上記後方コア部の間に位置し、上記前方コア部及び上記後方コア部よりも幅の狭い中間コア部と、を有する。
上記中間コア部は、上記横方向中央に位置し、上記裏面シート側に突出する高坪量部と、上記高坪量部より低い坪量を有し上記高坪量部の上記横方向側部に形成された低坪量部と、を含む。
【発明の効果】
【０００７】
本発明の吸収性物品によれば、フィット性を高めることができる。
【図面の簡単な説明】
【０００８】
【図１】本発明の一実施形態の吸収性物品を示す斜視図である。
【図２】上記吸収性物品を示す平面図である。
【図３】図２のIII−III線で切断した断面図である。
【図４】上記吸収性物品の吸収性コアを示す図であり、下面側から見た裏面図である。
【図５】上記吸収性コアの中間コア部の構成を模式的に示す断面図であり、図５Ａは非着用時、図５Ｂは着用時を示す。
【図６】上記吸収性物品の吸収体の裏面図である。
【図７】上記吸収性物品を着用した際の着用者の臀部の臀裂と上記吸収性コアの後方コア部における変形状態との関係を説明する模式図である。
【図８】上記後方コア部における横溝部及び立体ガードの位置関係を示す上記吸収性物品の平面図である。
【発明を実施するための形態】
【０００９】
以下、図面を参照しながら、本発明の実施形態を説明する。
【００１０】
［ナプキンの全体構成］
図１及び図２に示す吸収性物品１は、本体Ｍと、一対のウイング部Ｗと、一対の立体ガードＧと、一対の後方フラップ部Ｆと、圧搾溝部Ｅと、を備える。吸収性物品１は、生理用ナプキンとして構成され、以下、ナプキン１と称する。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。なお、本明細書では、厚み方向Ｚに関しては、着用時に着用者の肌に近い側を上、着衣に近い側を下という事がある。
ナプキン１は、就寝時に使用されてもよく、例えば縦方向Ｘに沿って３０ｃｍ以上の長さを有していてもよい。
【００１１】
本体Ｍは、縦方向Ｘに沿って延び、着用時に着用者の下着の内面に固定される。本体Ｍは、後述する吸収体１１を有しており、着用者の経血等の液状物（以下、「液」とも称する）を吸収する機能を有する。
【００１２】
立体ガードＧは、本体Ｍの横方向Ｙ周縁に設けられ、縦方向Ｘに延びるように配置される。立体ガードＧは、着用時に厚み方向Ｚに起立し、横方向Ｙの液の漏れを防止することができる。なお、「厚み方向に起立する」とは、着用者側に向かって起立することを意味する。
【００１３】
圧搾溝部Ｅは、後述する表面シート１２から厚み方向Ｚ下方に向かって圧縮されて形成され、例えば、本体Ｍの周縁部を囲むように構成される。
ウイング部Ｗは、本体Ｍから横方向Ｙの外方に大きく突出するように構成される。
後方フラップ部Ｆは、本体Ｍの後方部において横方向Ｙの外方に膨出するように構成される。
なお、ナプキン１は、ウイング部Ｗ、立体ガードＧ、圧搾溝部Ｅ及び後方フラップ部Ｆのうちの少なくとも一つを有さなくてもよい。
【００１４】
図３に示すように、ナプキン１は、吸収体１１と、表面シート１２と、裏面シート１３と、一対のサイドシート１４と、を備える。本体Ｍにおいて、ナプキン１は、裏面シート１３、吸収体１１、及び表面シート１２が厚み方向Ｚに積層された構成を有する。これらの構成は、例えば、接着剤やヒートシール等による接合、及び圧搾溝部Ｅによるエンボス加工等によって、適宜接合されて一体化している。
【００１５】
吸収体１１は、縦方向Ｘに沿って延び、表面シート１２と裏面シート１３との間に配置される。吸収体１１は、液を表面シート１２から吸収し、内部で拡散させて当該液を保持する。
吸収体１１は、吸収性コア１６と、コアラップシート１７と、を有する。
吸収性コア１６は、例えば、パルプ繊維等の親水性繊維で構成された繊維集合体で形成されてもよいし、当該繊維集合体に吸水性ポリマーを保持させた構成を有していてもよい。
コアラップシート１７は、吸収性コア１６を被覆し、例えば吸収性コア１６の形状を保持する機能等を有する。コアラップシート１７は、例えばティッシュペーパー状の薄く柔らかい紙や液透過性の不織布等で形成される。
吸収体１１の詳細については後述する。
【００１６】
表面シート１２は、液透過性のシート材として構成され、吸収体１１の厚み方向Ｚ上方に配置される。表面シート１２の外面（上面）を、受液面１２ａとする。なお、表面シート１２と吸収体１１との間には、表面シート１２から吸収体１１への液の透過性の向上、吸収体１１に吸収された液の表面シート１２への液戻りの防止等の観点から、セカンドシート（サブレイヤーシート）が配置されていてもよい。
【００１７】
裏面シート１３は、吸収体１１の厚み方向Ｚ下方に配置される。裏面シート１３は、例えば周縁部において、表面シート１２及びサイドシート１４と接着剤、熱シール等によって接合される。裏面シート１３は、接着剤等によって吸収体１１に接合されていてもよい。
【００１８】
裏面シート１３において、本体Ｍの外面には、本体粘着部１８が設けられ、ウイング部Ｗの外面には、ウイング粘着部１９が設けられる。これらの本体粘着部１８及びウイング粘着部１９は、ナプキン１を着衣に対して固定させるずれ止め材としての機能を有する。これらの粘着部１８，１９は、例えば、裏面シート１３にホットメルト粘着剤等の粘着剤を塗工することにより形成される。なお、図示はしないが、ナプキン１は、後方フラップ部Ｆに設けられた後方フラップ粘着部をさらに備えていてもよい。
【００１９】
一対のサイドシート１４は、表面シート１２を挟んで横方向Ｙに相互に対向し、ナプキン１の横方向Ｙ周縁に配置される。サイドシート１４は、不織布や樹脂製等のフィルムで形成することができる。サイドシート１４は、液不透過性、撥水性及び透湿性等の機能を有することが好ましく、積層構造でも、単層構造でもよい。
サイドシート１４は、本実施形態において、横方向Ｙ周縁部が外側に折り返されて、立体ガードＧを構成する。サイドシート１４は、立体ガードＧの基部において接着剤１５により表面シート１２に接合される。立体ガードＧの詳細な構成については、後述する。
【００２０】
［吸収性コアの構成］
図３に示すように、吸収性コア１６は、厚み方向Ｚ上方（表面シート１２側）に位置する上面１６ａと、厚み方向Ｚ下方（裏面シート１３側）に位置する下面１６ｂと、を有する。吸収性コア１６は、下面１６ｂに凹凸構造が形成され、後述する各部の坪量が調整される。また、上面１６ａは、例えば平坦に構成されるが、着用時には、着用者から厚み方向Ｚの圧力が付加されることで変形し得る。当該変形の詳細については、後述する。
【００２１】
図４に示すように、吸収性コア１６は、前方コア部２０と、中間コア部２１と、後方コア部２２と、を有する。前方コア部２０、中間コア部２１及び後方コア部２２は、縦方向Ｘに沿って並んでいる。すなわち、前方コア部２０及び後方コア部２２は縦方向Ｘの両端部側に位置し、前方コア部２０及び後方コア部２２の間に中間コア部２１が位置する。中間コア部２１は、着用者の排泄領域に対向する領域であり、前方コア部２０及び後方コア部２２は、着用者の排泄領域の前方及び後方にそれぞれ対向する部分である。吸収性コア１６は、横方向Ｙにおいて左右対称な平面形状を有する。
【００２２】
図４に示すように、中間コア部２１は、前方コア部２０の幅寸法Ｄ１及び後方コア部２２の幅寸法Ｄ３よりも狭い幅寸法Ｄ２を有する。つまり、吸収性コア１６は、中間コア部２１において横方向Ｙに括れた平面形状を有する。
中間コア部２１の幅寸法Ｄ２は、横方向Ｙにおける最小幅寸法をいうものとする。前方コア部２０の幅寸法Ｄ１及び後方コア部２２の幅寸法Ｄ３は、横方向Ｙにおける最大幅寸法をいうものとする。
吸収性コア１６が幅狭な中間コア部２１を有することで、着用者の両脚が閉じ股間幅が狭くなった場合に、中間コア部２１に付加される横方向Ｙからの外力を低減させることができる。
【００２３】
前方コア部２０の幅寸法Ｄ１及び後方コア部２２の幅寸法Ｄ３は同一でも異なっていてもよく、図４に示す例では、略同一の寸法を有する。
図４に示す例では、中間コア部２１の幅寸法Ｄ２が縦方向Ｘに沿って一定に形成されている。また、前方コア部２０の幅寸法Ｄ１及び後方コア部２２の幅寸法Ｄ３は、後述する前方テーパ領域２０ｔ及び後方テーパ領域２２ｔ以外の領域で縦方向Ｘに沿って一定であるが、これに限定されない。
なお、ある領域において「幅寸法が一定」とは、当該領域の横方向Ｙにおける最小幅を１００％としたときに、当該領域内の幅寸法の差異が２０％以下に収まっていることをいう。なお、前方コア部２０及び後方コア部２２では、横方向Ｙにおける最小幅を１００％としたときに各領域内の幅寸法の差異が１０％以下であることが好ましい。
前方コア部２０及び後方コア部２２の縦方向Ｘの長さ寸法は同一でも異なっていてもよく、例えば後方コア部２２がより長く構成される。
【００２４】
［中間コア部の構成］
中間コア部２１は、高坪量部２３と、高坪量部２３よりも低い坪量を有する低坪量部２４と、を有する。図４では、高坪量部２３を高密度のドットパターンで示し、低坪量部２４を低密度のドットパターンで示している。
高坪量部２３は、横方向Ｙ中央に位置し、裏面シート１３に向かって突出する。
低坪量部２４は、高坪量部２３の横方向側部に形成される。図４に示す例では、低坪量部２４は、高坪量部２３を挟んで左右に分割されている。
吸収性コア１６の坪量は、高密度の圧搾溝部以外の領域において、厚みと正の相関を有する。このため、高坪量部２３は、低坪量部２４から厚み方向Ｚ下方に突出し、低坪量部２４よりも厚く構成される。
また、吸収性コア１６の坪量は、剛性とも正の相関を有する。つまり、高坪量部２３は、低坪量部２４よりも剛性が高く、外力に対して変形しにくい。一方で、低坪量部２４は、坪量が相対的に低いため、外力に対して変形しやすい構成を有する。
【００２５】
図５の模式的な断面図を用いて、中間コア部２１における非着用時（図５Ａ）及び着用時（図５Ｂ）の形状について説明する。
図５Ａに示すように、中間コア部２１は、下面１６ｂにおいて、高坪量部２３と低坪量部２４との間に形成された段差を有する。
すなわち、高坪量部２３は、下面１６ｂにおいて、頂面領域２３ｂと、頂面領域２３ｂから連続して形成された側面領域２３ｅと、を含む。
頂面領域２３ｂは、厚み方向Ｚ下方を向く面であり、全体として平坦に構成されている。
側面領域２３ｅは、厚み方向Ｚ下方に突出する高坪量部２３の側面を構成し、例えば横方向Ｙに向く面である。
図５Ａに示す例では、側面領域２３ｅがＸＹ平面に対して垂直になるように構成され、高坪量部２３の平面視における面積が頂面領域２３ｂの面積と同一に構成されている。しかし、これに限定されず、例えば側面領域２３ｅがＸＹ平面に対して傾斜していてもよい。
一方、上面１６ａは、下面１６ｂと比較すると平坦な中央領域２３ａを含む。
なお、「上面１６ａ又は下面１６ｂが平坦」とは、後述する低坪量の溝部及び圧搾溝部Ｅを除いた領域が略平坦であることをいい、コア材の繊維等の突出による細かな凹凸は考慮しないものとする。また図５において、当該溝部及び圧搾溝部Ｅの図示は省略している。
【００２６】
低坪量部２４は、上面１６ａにおいて、第１周縁領域２４ａを含み、下面１６ｂにおいて、第２周縁領域２４ｂを含む。
第１周縁領域２４ａは、中央領域２３ａから連続して平坦に形成され、図５Ａに示す非着用時においては中央領域２３ａと同一平面上に位置している。
第２周縁領域２４ｂは、側面領域２３ｅの端部から横方向Ｙ外方に張り出した領域である。
【００２７】
図５Ｂに示す着用時において、中間コア部２１は、着用者から厚み方向Ｚ下方、すなわち着衣側に向かって圧力が付加された状態となる。下面１６ｂには、高坪量部２３である頂面領域２３ｂと低坪量部２４である第２周縁領域２４ｂとの間に段差が形成されているため、第２周縁領域２４ｂは、側面領域２３ｅ側に押し付けられる。これにより、上面１６ａは、中央領域２３ａと第１周縁領域２４ａとの間で折れ曲がり、第１周縁領域２４ａが、中央領域２３ａに接続された基部から端部側に向かって押し下げられる。したがって、第１周縁領域２４ａが斜面状に変形する。
【００２８】
つまり、着用時には、高坪量部２３の横方向Ｙ側部に形成された低坪量部２４が、着用者から付加される圧力によって着衣側に押し付けられる。これにより、裏面シート１３側に突出する高坪量部２３は、相対的に肌側に向かって押し上げられ、中間コア部２１が横方向Ｙ中央部において着用者側に盛り上がるように変形する。これにより、高坪量部２３が着用者の排泄領域に密着する。
また、吸収性コア１６は、上面１６ａ側に段差を有さず、第１周縁領域２４ａが中央領域２３ａから連続する斜面状に変形する。これにより、上面１６ａと排泄領域との間に隙間のできにくい構成となり、排泄領域へのフィット性及び装着感の高いナプキン１となる。
【００２９】
さらに、上記構成では、中間コア部２１が幅狭に構成される。これにより、ナプキン１では、着用者の両脚によって付加される横方向Ｙからの外力が緩和される。
また、低坪量部２４は、中間コア部２１における易変形領域として機能する。つまり、横方向Ｙから大きな外力が付加された場合、低剛性の低坪量部２４が圧縮変形し、当該外力のエネルギが消費される。これにより、高坪量部２３の変形が抑制され、排泄領域との密着性が維持される。
さらに、中間コア部２１が幅狭に構成されることで、低坪量部２４の圧縮変形が後方コア部２２及び前方コア部２０に伝搬しにくくなる。したがって、着用者の排泄領域のみならず、その後方及び前方においてもナプキン１と着用者と間の隙間の発生が抑制され、フィット性が高められる。
【００３０】
［高坪量部の平面形状］
図４に示すように、高坪量部２３は縦方向Ｘに沿って延びるが、その前後端部の形状により、縦方向Ｘにおける低坪量部２４の圧縮変形の伝搬を緩和することができる。なお、高坪量部２３の平面形状とは、ＸＹ平面における形状をいい、ここでは頂面領域２３ｂの平面形状と同義で用いるものとする。
【００３１】
高坪量部２３は、縦方向Ｘの先端に向かって幅寸法が漸減する後方端部２３ｄを含む。つまり、中間コア部２１の後方部分では、後方コア部２２に向かって高坪量部２３の幅が徐々に狭まるとともに、低坪量部２４の幅が徐々に広がる構成となる。
【００３２】
上記構成の吸収性コア１６では、中間コア部２１から後方コア部２２に向かって易変形領域が徐々に広がる構成となる。これにより、低坪量部２４が横方向Ｙからの外力によって圧縮変形した場合に、圧縮度が後方コア部２２に向かって徐々に緩和され、後方コア部２２への変形の影響の伝搬が効果的に抑制される。したがって、排泄領域の後方におけるフィット性がより高められる。
【００３３】
また、高坪量部２３では、縦方向Ｘにおける前方に位置する前方端部２３ｃも、縦方向Ｘの先端に向かって幅が漸減する構成を有していてもよい。
これにより、上述のように、中間コア部２１から前方コア部２０に向かって易変形領域が徐々に広がり、低坪量部２４の圧縮変形の影響が前方コア部２０に伝搬されにくくなる。したがって、排泄領域の前方においても、フィット性がさらに高められる。
【００３４】
図４において、前方端部２３ｃ及び後方端部２３ｄは、円弧形状又は楕円弧形状を有している。これにより、前方端部２３ｃ及び後方端部２３ｄの先端における幅が０となるため、後方コア部２２に隣接する領域における低坪量部２４をより幅広に構成することができる。したがって、低坪量部２４における圧縮変形が十分に緩和され、当該圧縮変形が後方コア部２２に伝搬することを効果的に抑制できる。
【００３５】
高坪量部２３の前方端部２３ｃ及び後方端部２３ｄの形状は、上記形状に限定されない。
例えば、前方端部２３ｃ及び後方端部２３ｄは、先端が鋭角の三角形状を有していてもよい。これによっても、前方端部２３ｃ及び後方端部２３ｄが先端に向かって幅が漸減する形状を有し、かつ、前方端部２３ｃ及び後方端部２３ｄの先端における幅が０となる。したがって、図４の前方端部２３ｃ及び後方端部２３ｄと同様の作用効果を得ることができる。
あるいは、前方端部２３ｃ及び後方端部２３ｄは、先端に横方向Ｙに沿った辺を含む台形状を有してもよいし、角が丸い矩形状を有していてもよい。これらによっても、前方端部２３ｃ及び後方端部２３ｄが先端に向かって幅が漸減する形状を有し、低坪量部２４による外力緩衝作用を高めることができる。
なお、前方端部２３ｃ及び後方端部２３ｄは、先端に向かって幅が漸減する形状を有さず、全体が略同一の幅の矩形状に構成されてもよい。
【００３６】
高坪量部２３の縦方向Ｘの長さ寸法は、特に限定されず、中間コア部２１の全長にわたって形成されていてもよく、中間コア部２１の一部に形成されていてもよい。
特に、中間コア部２１の全長にわたって高坪量部２３が形成されることで、排泄領域の全域にわたって着用者に対するフィット性及び液の吸収性が高められる。
また、このように、高坪量部２３の後方端部２３ｄが、後方コア部２２に隣接する構成となる場合、後方コア部２２に以下のようなテーパ領域（後方テーパ領域２２ｔ）を設けることで、後方コア部２２への圧縮変形の伝搬がさらに抑制される。
【００３７】
［テーパ領域の構成］
図４に示すように、後方コア部２２は、中間コア部２１に隣接して形成され、縦方向Ｘ後方に向かって幅寸法が漸増する後方テーパ領域２２ｔを含む。
【００３８】
後方コア部２２は、高坪量部２３よりも小さな坪量を有するため、高坪量部２３と比較して相対的に変形しやすい。
つまり、上記構成の吸収性コア１６では、高坪量部２３の後方端部２３ｄが接する境界部Ｐ２からさらに縦方向Ｘ後方に、易変形領域が徐々に広がる構成となる。これにより、低坪量部２４が横方向Ｙからの外力によって圧縮変形した場合に、当該圧縮変形が後方コア部２２においても徐々に緩和される。したがって、当該圧縮変形の後方コア部２２への伝搬がさらに抑制され、排泄領域の後方におけるフィット性がより高められる。
【００３９】
また、前方コア部２０も、同様のテーパ領域を有していてもよい。すなわち、前方コア部２０が、中間コア部２１に隣接して形成され、縦方向Ｘ前方に向かって幅寸法が漸増する前方テーパ領域２０ｔを含んでいてもよい。これによっても、横方向Ｙからの圧縮変形の前方コア部２０への伝搬が抑制され、排泄領域の前方におけるフィット性が高められる。
【００４０】
なお、後方テーパ領域２２ｔ及び前方テーパ領域２０ｔの外縁は直線状に限定されず、曲線状でもよい。後方テーパ領域２２ｔ及び前方テーパ領域２０ｔの形状は、前後対称でもよいし、前後非対称でもよい。
【００４１】
［コアラップシートの構成］
図３に示すように、吸収体１１は、吸収性コア１６の他、コアラップシート１７を有する。コアラップシート１７は、吸収性コア１６の表裏を被覆するように、吸収性コア１６の横方向Ｙに巻き付けられる。コアラップシート１７を設けることにより、流通時や着用時において吸収性コア１６の構造を保護することができるとともに、上述の外力に対する緩衝作用を高める作用も有する。以下、詳細について説明する。
【００４２】
コアラップシート１７は、上述のように、紙、不織布等により形成される。つまり、コアラップシート１７は、吸収性コア１６よりも剛性が十分に低いシート材で構成されている。コアラップシート１７は、１枚のシート材で構成されてもよいし、複数のシート材で構成されてもよい。コアラップシート１７は、例えば所定のパターンに塗工された接着剤等によって、表面シート１２及び裏面シート１３に接合されてもよい。
【００４３】
コアラップシート１７の横方向Ｙに沿った幅寸法は、例えば縦方向Ｘに沿って一定に構成されるが、これに限定されず、縦方向Ｘ中間部で小さい又は大きい幅寸法を有するように構成されてもよい。
コアラップシート１７の縦方向Ｘに沿った長さ寸法は、吸収性コア１６の縦方向Ｘの長さ寸法（全長）と同等に形成されるが、これに限られず、吸収性コア１６の全長よりも長くてもよいし短くてもよい。
【００４４】
図６に示すように、コアラップシート１７は、吸収性コア１６の各部を被覆するコア被覆部１７ｃと、低坪量部２４の横方向Ｙ外方へ延出する延出部１７ｓと、を有する。図６には、吸収性コア１６並びに高坪量部２３及び低坪量部２４の概形が破線で示される。
コアラップシート１７は、吸収性コア１６よりも剛性が十分に低いシート材で構成されているため、吸収性コア１６の形状に対応する形状で吸収性コア１６を被覆する。
【００４５】
図５に示すように、延出部１７ｓは、中間コア部２１の括れ形状を形成する空間領域Ｓを区画するように構成される。すなわち、延出部１７ｓの内部には、吸収性コア１６を構成するコア材が存在していない。但し、空間領域Ｓには、コア材の本体は存在しないが、吸収性コア１６の周縁から外方へ突出した繊維や、吸収性コア１６から分離したコア材の一部が部分的に存在してもよい。
吸収体１１のうち、延出部１７ｓは、低坪量部２４よりも低い坪量で構成され、より変形し易く構成される。
【００４６】
図５に示すように、着用時には、コアラップシート１７の延出部１７ｓが、着用者から厚み方向Ｚ下方（着衣側）に向かって圧力を受ける。コアラップシート１７は、吸収性コア１６よりも十分に低い剛性を有するため、延出部１７ｓは、当該圧力によって着衣に沿うように押し付けられた状態が維持される。つまり、コアラップシート１７の延出部１７ｓが厚み方向Ｚ下方に押し付けられていることで、コアラップシート１７の内部に位置する低坪量部２４も、厚み方向Ｚ下方に押し下げられた状態に維持される。
【００４７】
このように、低坪量部２４のさらに横方向Ｙ外方にコアラップシート１７の延出部１７ｓが存在することで、低坪量部２４が自身の弾性力によって着用前の形状に戻ることを防止できる。これにより、高坪量部２３が相対的に厚み方向Ｚ上方に盛り上がった状態に維持される。したがって、着用者の動作時においても、高坪量部２３と排泄領域との間の密着性が維持され、ナプキン１では高いフィット性が維持される。
【００４８】
［溝部の構成］
図４に示すように、吸収性コア１６は、低坪量の縦溝部２６、境界溝部２７ｃ，２７ｄ、環状溝部２８及び横溝部２９によってブロック状に分割されている。これらの溝部は、吸収性コア１６の下面１６ｂに開口し、厚み方向Ｚ上方に向かって形成された溝を有し、周囲より低い坪量を有する。
これらの溝部により、着用時における吸収性コア１６の変形をより効果的に制御することができる。以下、各溝部の構成と作用について説明する。
【００４９】
（縦溝部）
図４に示すように、吸収性コア１６は、後方コア部２２の横方向Ｙ中央部２２ｃに形成され、縦方向Ｘに延びる低坪量の縦溝部２６ｃを有する。坪量と剛性とは相関関係を有することから、縦溝部２６ｃは、溝部以外の領域と比較して変形しやすい部分となる。
後方コア部２２の横方向中央部２２ｃとは、後方コア部２２を横方向Ｙに３等分したうちの中央の部分をいう。これに対し、後方コア部２２の横方向Ｙ両側方の部分を、側部２２ｄとする。
図４に示す例において、縦溝部２６ｃは、縦方向Ｘにおいて、後方コア部２２の全長にわたって形成されているが、後方コア部２２の一部に形成されていてもよい。
【００５０】
図７を用いて、縦溝部２６ｃの着用時における作用について説明する。
同図に示すように、後方コア部２２は、着用時に着用者の臀部Ｈに対向し得る。また、臀部Ｈは臀裂Ｈ１を有し、左右に分かれた形状を有する。
後方コア部２２では、剛性の低い縦溝部２６ｃが変形の起点となりやすい。このため、図７に模式的に示すように、後方コア部２２では、着用時に縦溝部２６ｃの位置する横方向Ｙ中央部２２ｃが厚み方向Ｚ上方に突出し、臀裂Ｈ１に沿うように変形する。したがって、着用者の臀裂Ｈ１とナプキン１との間の隙間が小さくなり、排泄領域の後方におけるナプキン１のフィット性を高めることができる。またこれにより、ナプキン１では、後方における隙間に起因する液の伝い漏れが抑制される。
【００５１】
なお、吸収性コア１６は、縦溝部２６ｃの他、後方コア部２２に形成された他の縦溝部を有していてもよい。吸収性コア１６に形成された縦溝部を総称して、「縦溝部２６」と称する。これらの縦溝部２６は、吸収性コア１６に柔軟性を付与するとともに、着用者の身体へのフィット性を高めることができる。縦溝部２６ｃ以外の縦溝部２６の構成については、後述する。
【００５２】
（境界溝部）
吸収性コア１６は、中間コア部２１と後方コア部２２との境界部に形成され、横方向Ｙに延びる低坪量の境界溝部２７ｄをさらに有する。図４に示す例では、境界溝部２７ｄが、高坪量部２３の後方端部２３ｄに隣接して形成される。
なお、以下の説明において境界部Ｐ２とは、後方コア部２２及び中間コア部２１の間のいずれにも属さない部分をいう。また、同様に、境界部Ｐ１とは、前方コア部２０及び中間コア部２１の間のいずれにも属さない部分をいう。
【００５３】
図５で説明したように、着用時に、高坪量部２３は、坪量の低い後方コア部２２に対しても厚み方向Ｚ上方に盛り上がるように変形する。境界溝部２７を形成することで、中間コア部２１の上記変形に起因する内部応力（張力）が、境界部Ｐ２を跨いで後方コア部２２にまで伝搬することを抑制できる。これにより、高坪量部２３の変形に追従した後方コア部２２の変形が抑制され、後方コア部２２の臀部に沿った好ましい変形が誘導されやすくなる（図７参照）。したがって、ナプキン１の後方においてもフィット性が高められる。
【００５４】
さらに、吸収性コア１６は、中間コア部２１と前方コア部２０との境界部Ｐ１に形成され、横方向Ｙに延びる低坪量の境界溝部２７ｃをさらに有していてもよい。境界溝部２７ｃは、例えば高坪量部２３の前方端部２３ｃに隣接して形成される。このような境界溝部２７ｃによっても、境界溝部２７ｄと同様に、中間コア部２１の変形に基づく内部応力が、前方コア部２０へ伝搬することが抑制され、高坪量部２３の変形に追従した前方コア部２０の変形が防止される。
【００５５】
（環状溝部）
さらに、吸収性コア１６は、高坪量部２３の周囲を環状に囲うように、高坪量部２３の外縁に沿って形成されている環状溝部２８を有していてもよい。環状溝部２８を設けることで、着用者から厚み方向Ｚ下方に圧力が付加された場合、環状溝部２８が折れ曲がる起点となり得、低坪量部２４の厚み方向Ｚ下方への変形がより容易になる。
【００５６】
（横溝部）
吸収性コア１６は、後方コア部２２に形成され、縦溝部２６ｃと交差して横方向にそれぞれ延びる低坪量の複数の横溝部２９をさらに有する。図４に示す後方コア部２２には、等間隔で５つの横溝部２９が配列されているが、本数及び配置はこれに限定されない。
【００５７】
なお、吸収性コア１６は、横溝部２９の他、前方コア部２０及び中間コア部２１に形成された横溝部２９をさらに有していてもよい。これらの横溝部２９は、吸収性コア１６に柔軟性を付与するとともに、着用者の身体へのフィット性を高めることができる。なお、これらの横溝部２９の構成等については、後述する。
【００５８】
上述のように、坪量と剛性とは相関を有することから、横溝部２９は、吸収性コア１６に変形性を付与できる。一方で、ナプキン１の横方向Ｙ周縁部には、立体ガードＧが形成されている。ナプキン１では、立体ガードＧに配された弾性部材１４３の弾性力と、各横溝部２９による変形性とを利用して、フィット性をさらに高める湾曲形状が誘導される。
以下、立体ガードＧの構成等について説明する。
【００５９】
［立体ガードの構成］
図２及び図３に示すように、立体ガードＧは、折返し領域１４１と、固定端部１４２と、弾性部材１４３とを有する。立体ガードＧは、本実施形態においてサイドシート１４で構成されるが、サイドシート１４とは別のシート材で形成されてもよい。
【００６０】
折返し領域１４１は、サイドシート１４において、横方向Ｙ外方に折り返された部分である。
固定端部１４２は、立体ガードＧの横方向Ｙ内側の端部であり、表面シート１２の受液面１２ａに接合される立体ガードＧの基部である。固定端部１４２は、本実施形態において接着剤１５を用いて表面シート１２に接合される。
【００６１】
弾性部材１４３は、折返し領域１４１に配置され、縦方向Ｘに伸縮可能な複数の糸状弾性部材を含む。弾性部材１４３は、ＸＹ平面に引き延ばされた状態のサイドシート１４に、縦方向Ｘに伸長された状態で取り付けられる。これにより、着用時に、弾性部材１４３が縦方向Ｘに収縮して受液面１２ａが緩やかに凹むように本体Ｍが湾曲し、折返し領域１４１が厚み方向Ｚに起立することができる。起立した折返し領域１４１の肌側の面は、着用者の肌と当接し得る面となり、横方向Ｙの液漏れが防止される。
【００６２】
図２に示すように、立体ガードＧは、本実施形態において、本体Ｍの縦方向Ｘ全長にわたって配置され、少なくとも一部が起立可能に構成される。
立体ガードＧは、起立領域Ｇ１と非起立領域Ｇ２とを有する。
起立領域Ｇ１は、厚み方向Ｚに起立可能に構成される。起立領域Ｇ１は、中間コア部２１を跨いで前方コア部２０及び後方コア部２２の一部まで配置される。
非起立領域Ｇ２は、起立領域Ｇ１の後方及び前方にそれぞれ形成される。非起立領域Ｇ２は、例えばサイドシート１４が折り返された状態でサイドシート１４の外面と厚み方向Ｚに接合される。これにより、非起立領域Ｇ２では折返し領域１４１が起立しないように構成される。
【００６３】
弾性部材１４３は、実際には非起立領域Ｇ２を含む立体ガードＧ全体に配置されているが、少なくとも起立領域Ｇ１に配置されていればよい。図２では、非起立領域Ｇ２における弾性部材１４３の図示を省略している。
【００６４】
［横溝部及び立体ガードの位置関係］
上述のように、後方コア部２２には、５本の横溝部２９が形成されている。なお、図８において、他の溝部は省略している。
図８を参照し、これらの横溝部２９のうち、前方の横溝部２９（以下、第１横溝部２９ｃと称する）は、一対の立体ガードＧ各々の起立領域Ｇ１の対向領域に延在し、後方の横溝部２９（以下、第２横溝部２９ｄと称する）は、一対の立体ガードＧ各々の非起立領域Ｇ２の対向領域に延在する。なお、「横溝部が起立領域又は非起立領域の対向領域に延在する」とは、各横溝部２９が、ナプキン１における一対の起立領域Ｇ１又は非起立領域Ｇ２間の領域の一部又は全体にわたって横方向Ｙに延びていることをいい、立体ガードＧ下、あるいはその横方向Ｙ外方まで延びる態様も含む。
【００６５】
図８に示すナプキン１についてより具体的に説明すると、後方コア部２２に形成された横溝部２９のうち、最もナプキン１の前端側に位置する横溝部２９が第１横溝部２９ｃとなり、それよりもナプキン１の後端側に位置する全ての横溝部２９が第２横溝部２９ｄとなっている。ナプキン１では、後方コア部２２において、５本の横溝部２９のうち、３本は前方に位置し、２本は後方に位置している。したがって、後方コア部２２を縦方向Ｘに２分割した場合、後方コア２２の前半分の領域に位置する横溝部２９のうち１本が第１横溝部２９ｃ、残り全部が第２横溝部２９ｄとなっている。勿論、本発明はこれに限られず、後方コア２２の前半分の領域に位置する横溝部２９全てが第１横溝部２９ｃであってもよい。また、後方コア２２の後半分の領域のナプキン最後端側に位置する横溝部２９ｃのみが第２横溝部２９ｄであってもよい。
【００６６】
図８に示すナプキン１において、起立領域Ｇ１は、着用時に、弾性部材１４３が縦方向Ｘに沿って収縮し、厚み方向Ｚ上方に起立する。第１横溝部２９ｃは、吸収性コア１６の溝部以外の領域と比較して低剛性であるため、弾性部材１４３の収縮に伴って溝の底部を起点に折れ曲がる。これにより、第１横溝部２９ｃが存在する排泄領域の後方において、吸収性コア１６が上方へ向かって湾曲できる。したがって、排泄領域を包み込むようにナプキン１が湾曲し、着用者の排泄領域に対する密着性を確保できる。
【００６７】
一方、非起立領域Ｇ２では、弾性力が発揮されない。このため、各第２横溝部２９ｄは、その易変形性を活かして後方コア部２２の柔軟性を高めることができ、後方コア部２２を、臀部にフィットするように緩やかに湾曲させることができる。
さらに、図７で説明したように、後方コア部２２は、縦溝部２６ｃによって臀裂に沿って突出するように変形できる。第２横溝部２９ｄが非起立領域Ｇ２の対向領域に設けられることで、第２横溝部２９ｄが縦方向Ｘに沿って折れ曲がる変形は起こり難くなり、後方コア部２２の臀裂にフィットする変形が妨げられない。したがって、ナプキン１の臀部における密着性を高めることができる。
つまり、上記構成の横溝部２９及び立体ガードにより、吸収性コア１６の排泄領域におけるフィット性と、排泄領域後方の臀部におけるフィット性とを両立させることができる。
【００６８】
上述した、着用者の排泄領域及び臀部への密着性の観点からは、後方コア部２２の後半分の領域に位置する横溝部２９は全て第２横溝部２９ｄであることが好ましい。同様の観点から、後方コア部２２の前半分の領域に位置する横溝部２９のうち、縦方向Ｘに関して、前半分の領域における更に前端側１／２の領域に位置する横溝部２９が第１横溝部２９ｃであり、後端側１／２の領域に位置する横溝部２９が第２横溝部２９ｄであることが好ましい。
【００６９】
［本実施形態の追加説明］
以下、本実施形態の説明を補足する。
【００７０】
（吸収性コアの各部の幅）
前方コア部２０及び後方コア部２２の幅寸法Ｄ１，Ｄ３は、好ましくは６０ｍｍ以上１００ｍｍ以下であり、より好ましくは７０ｍｍ以上９０ｍｍ以下である。
中間コア部２１の最も狭い部分の幅寸法Ｄ２は、好ましくは４０ｍｍ以上７５ｍｍ以下であり、より好ましくは５０ｍｍ以上７０ｍｍ以下である。
【００７１】
（吸収性コアの坪量）
縦溝部２６、境界溝部２７ｃ，２７ｄ、環状溝部２８及び横溝部２９を除く吸収性コア１６の坪量は、好ましくは１００ｇ／ｍ２以上１０００ｇ／ｍ２以下であり、より好ましくは１５０ｇ／ｍ２以上９００ｇ／ｍ２以下である。
また、高坪量部２３の坪量は、好ましくは４００ｇ／ｍ２以上１０００ｇ／ｍ２以下であり、より好ましくは５００ｇ／ｍ２以上９００ｇ／ｍ２以下である。
【００７２】
（吸収性コアの坪量の測定方法）
吸収性コア１６の測定対象領域を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００７３】
（中間コア部の厚み寸法）
高坪量部２３及び低坪量部２４の厚み寸法は、坪量を考慮して設定することができる。
高坪量部２３の厚み方向Ｚの寸法は、例えば、３ｍｍ以上１５ｍｍ以下であり、好ましくは、５ｍｍ以上１３ｍｍ以下である。
低坪量部２４の厚み方向Ｚの寸法は、例えば、２ｍｍ以上１２ｍｍ以下、好ましくは、３ｍｍ以上１０ｍｍ以下である。
【００７４】
（縦溝部、横溝部及び環状溝部の構成）
吸収性コア１６には、後方コア部２２の横方向Ｙ中央部２２ｃに位置する縦溝部２６ｃ以外にも、縦方向Ｘに延びる縦溝部２６が形成されていてもよい。なお、以下の説明において、横方向Ｙ中央部の縦溝部２６を第１縦溝部２６ｃとし、その横方向Ｙ両側に形成された縦溝部２６を、第２縦溝部２６ｄ及び第３縦溝部２６ｅとする。
図４に示す後方コア部２２において、第２縦溝部２６ｄは、中央部２２ｃと側部２２ｄとの境界に形成され、第３縦溝部２６ｅは、側部２２ｄにそれぞれ形成されている。これに限定されず、例えば第２縦溝部２６ｄが中央部２２ｃに形成されていてもよいし、側部２２ｄに形成されていてもよい。第１縦溝部２６ｃ、第２縦溝部２６ｄ及び第３縦溝部２６ｅは、横方向Ｙに等間隔で配置されているが、等間隔でなくてもよい。
さらに、第１縦溝部２６ｃ、第２縦溝部２６ｄ及び第３縦溝部２６ｅの溝幅は、異なっていてもよいし、同一でもよい。例えば、第１縦溝部２６ｃの溝幅が、側部２２ｄに位置する縦溝部、すなわち、本実施形態では、第３縦溝部２６ｅの溝幅よりも大きいことで、中央部２２ｃの臀部に沿った変形をより促し易くなる。特に、第１縦溝部２６ｃ及び第２縦溝部２６ｄの溝幅を第３縦溝部２６ｅの溝幅よりも大きく構成することで、図４で説明した、中央部２２ｃの臀裂に沿った変形をより促しやすくなる。
【００７５】
また、縦溝部２６は、後方コア部２２のみならず、中間コア部２１及び前方コア部２０にも形成されていてもよい。図４に示す例では、第１縦溝部２６ｃは、吸収性コア１６の縦方向Ｘ全長にわたって延びている。第２縦溝部２６ｄ及び第３縦溝部２６ｅは、後方コア部２２及び前方コア部２０の縦方向Ｘ全長にわたって延びている。これらの縦溝部２６の構成は限定されず、各部の縦方向Ｘの一部に形成されていてもよいし、溝幅が一定でなくてもよい。
【００７６】
上述のように、横方向Ｙに沿って延びる横溝部２９は、後方コア部２２の他、例えば、中間コア部２１及び前方コア部２０にも形成されていてもよい。横溝部２９の配列間隔は、等間隔に限定されず、異なっていてもよい。また、各横溝部２９は、吸収性コア１６の横方向Ｙ全長にわたって形成されているが、横方向Ｙの一部のみに形成されていてもよい。また、各横溝部２９の溝幅は、同一でもよいし、異なっていてもよい。
【００７７】
縦溝部２６、横溝部２９及び環状溝部２８の溝幅は、好ましくは、０．５ｍｍ以上１０ｍｍ以下であり、より好ましくは、１ｍｍ以上５ｍｍ以下である。環状溝部２８の深さは、例えば、０．５ｍｍ以上１０ｍｍ以下であり、縦溝部２６及び横溝部２９の深さは、例えば、０．５ｍｍ以上１０ｍｍ以下である。
【００７８】
上記で説明した他にも、縦溝部２６、境界溝部２７ｃ，２７ｄ、環状溝部２８及び横溝部２９の形状や配置などの構成は、図４に記載された構成に限定されず、吸収性コア１６の形状や要求される機能等に基づいて適宜設定され得る。また、ナプキン１では、吸収性コア１６が、縦溝部２６、境界溝部２７ｃ，２７ｄ、環状溝部２８及び横溝部２９のうち少なくとも一つを有していなくてもよい。
【００７９】
なお、各溝部２６〜２９の「低坪量」とは、吸収性コア１６の材料が存在する形態の他、吸収性コア１６の材料が存在しない形態も含む概念である。各溝部２６〜２９で吸収性コア１６の材料が存在する形態では、各溝部２６〜２９を介してその両側に位置する吸収性コア１６のブロック状部位が接続されているため、吸収性コア１６が動きによってヨレ・破壊・千切れ等が生じ難く、かつ柔軟性を付与することが出来るためより好ましい。
【００８０】
以上、本発明の実施形態について説明したが、本発明は上述の実施形態にのみ限定されるものではなく、本発明の要旨を逸脱しない範囲内において種々変更を加え得ることは勿論である。
【００８１】
以上の実施形態では、吸収性物品として生理用ナプキンの例を示したが、これに限定されない。本発明の吸収性物品は、例えば、尿取りパットやおりものシート、使い捨ておむつ等であってもよい。特に、本発明は、生理用ナプキン、尿取りパット及びおりものシート等のパッド状吸収性物品に有用である。
【００８２】
（１）液透過性の表面シートと、裏面シートと、吸収性コアを有し前記表面シート及び前記裏面シートの間に配置された吸収体と、を備え、着用者の前後方向に対応する縦方向及び前記縦方向に直交する横方向を有する吸収性物品であって、前記吸収性コアは、前記縦方向の両端部側に位置する前方コア部及び後方コア部と、前記前方コア部及び前記後方コア部の間に位置し、前記前方コア部及び前記後方コア部よりも幅の狭い中間コア部と、を有し、前記中間コア部は、前記横方向中央に位置し、前記裏面シート側に突出する高坪量部と、前記高坪量部より低い坪量を有し前記高坪量部の前記横方向側部に形成された低坪量部と、を含む吸収性物品。
（２）前記高坪量部は、前記縦方向の先端に向かって幅が漸減する後方端部を含む前記（１）に記載の吸収性物品。
（３）前記高坪量部は、前記中間コア部の全長にわたって形成され、前記後方コア部は、前記中間コア部に隣接して形成され、前記縦方向後方へ向かって幅寸法が漸増するテーパ領域を含む（１）又は（２）に記載の吸収性物品。
（４）前記吸収体は、前記吸収性コアを被覆するコア被覆部と、前記低坪量部の前記横方向外方へ延出する延出部と、を含むコアラップシートをさらに有する（１）〜（３）のいずれか１つに記載の吸収性物品。
（５）前記吸収性コアは、前記後方コア部の前記横方向中央部に形成され、前記縦方向に延びる低坪量の縦溝部をさらに有する（１）〜（４）のいずれか１つに記載の吸収性物品。
（６）前記吸収性コアは、前記中間コア部と前記後方コア部との境界部に形成され、前記横方向に延びる低坪量の境界溝部をさらに有する（１）〜（５）のいずれか１つに記載の吸収性物品。
（７）前記吸収性物品は、前記横方向周縁部に設けられ、前記縦方向に延びる一対の立体ガードをさらに備え、前記一対の立体ガードは、前記吸収性物品の厚み方向に起立可能に構成された起立領域と、前記起立領域の後方に形成された非起立領域と、を有し、前記吸収性コアは、前記後方コア部に形成され、前記縦溝部と交差して前記横方向にそれぞれ延びる低坪量の複数の横溝部をさらに有し、前記複数の横溝部は、前記一対の立体ガード各々の前記起立領域の対向領域に延在する前方の横溝部と、前記一対の立体ガード各々の前記非起立領域の対向領域に延在する後方の横溝部と、に区分される（５）又は（６）に記載の吸収性物品。
（８）前記後方コア部を縦方向に２分割した際に、前記後方コアの前半分の領域に位置する前記横溝部の最も前側に前記前方の横溝部があり、残りは前記後方の横溝部である前記（７）に記載の吸収性物品。
（９）前記後方コア部の後半分の領域に位置する横溝部は全て後方の横溝部である前記（８）に記載の吸収性物品。
（１０）前記後方コア部の前記前半分の領域に位置する前記横溝部のうち、前記縦方向に関して、前記前半分の領域における更に前端側１／２の領域に位置する前記横溝部が前記前方の横溝部であり、後端側１／２の領域に位置する前記横溝部が前記後方の横溝部である前記（８）又は（９）に記載の吸収性物品。
（１１）前記前方コア部、前記中間コア部及び前記後方コア部それぞれの幅寸法は、該各領域の前記横方向における最小幅を１００％としたときに、各領域内の幅寸法の差異が２０％以下に収まっている（１）〜（１０）のいずれか１つに記載の吸収性物品。
（１２）前記前方コア部及び前記後方コア部では、前記横方向における最小幅を１００％としたときに各領域内の幅寸法の差異が１０％以下である前記（１１）のいずれか１つに記載の吸収性物品。
（１３）前記吸収性コアは、前記高坪量部の周囲を環状に囲うように、前記高坪量部の外縁に沿って形成されている環状溝部を有する前記（１）〜（１２）のいずれか１つに記載の吸収性物品。
（１４）前記吸収性物品は、前記表面シートを挟んで前記横方向周囲に配置された一対のサイドシートをさらに備え、前記立体ガードは、前記サイドシートの前記横方向の折り返し部に弾性部材が配置され、前記縦方向に伸縮可能に構成された前記（１）〜（１３）のいずれか１つに記載の吸収性物品。
（１５）前記前方コア部及び前記後方コア部の幅寸法は６０ｍｍ以上１００ｍｍ以下であり、好ましくは７０ｍｍ以上９０ｍｍ以下である前記（１）〜（１４）のいずれか１つに記載の吸収性物品。
（１６）前記中間コア部の最も狭い部分の幅寸法は、４０ｍｍ以上７５ｍｍ以下であり、好ましくは５０ｍｍ以上７０ｍｍ以下である前記（１）〜（１５）のいずれか１つに記載の吸収性物品。
（１７）前記吸収性コアの前記高坪量部の坪量は４００ｇ／ｍ２以上１０００ｇ／ｍ２以下であり、より好ましくは５００ｇ／ｍ２以上９００ｇ／ｍ２以下である前記（１）〜（１６）のいずれか１つに記載の吸収性物品。
（１８）前記高坪量部の厚み方向の寸法は、３ｍｍ以上１５ｍｍ以下であり、好ましくは、５ｍｍ以上１３ｍｍ以下である前記（１）〜（１７）のいずれか１つに記載の吸収性物品。
（１９）前記低坪量部の厚み方向の寸法は、２ｍｍ以上１２ｍｍ以下、好ましくは、３ｍｍ以上１０ｍｍ以下である前記（１）〜（１８）のいずれか１つに記載の吸収性物品。
（２０）前記横溝部の溝幅は、０．５ｍｍ以上１０ｍｍ以下であり、好ましくは、１ｍｍ以上５ｍｍ以下である前記（７）〜（１０）のいずれか１つに記載の吸収性物品。
（２１）前記環状溝部の溝幅は、０．５ｍｍ以上１０ｍｍ以下であり、好ましくは、１ｍｍ以上５ｍｍ以下である前記（１３）に記載の吸収性物品。
（２２）前記環状溝部の深さは、０．５ｍｍ以上１０ｍｍ以下である前記（１３）に記載の吸収性物品。
（２３）前記縦溝部の深さは、０．５ｍｍ以上１０ｍｍ以下である前記（５）に記載の吸収性物品。
（２４）前記横溝部の深さは、０．５ｍｍ以上１０ｍｍ以下である前記（７）〜（１０）及び（２０）のいずれか１つに記載の吸収性物品。
（２５）前記吸収性コアは、前記後方コア部に位置する縦溝部を複数本備えており、前記横方向中央部に位置する縦溝部は、前記横方向側部に位置する縦溝部よりも溝幅が大きい、前記（１）〜（２４）のいずれか１つに記載の吸収性物品。
（２６）前記横方向中央部の前記縦溝部を第１縦溝部とし、その前記横方向両側に形成された縦溝部を、該第１縦溝部に近い方から順に第２縦溝部及び第３縦溝部としたときに、前記第１縦溝部と前記第２縦溝部の幅が前記第３縦溝部の幅よりも大きい、前記（２５）に記載の吸収性物品。
（２７）前記吸収性物品は生理用ナプキンである前記（１）〜（２６）のいずれか１つに記載の吸収性物品。
【実施例】
【００８３】
以下、本発明を実施例によりさらに具体的に説明するが、本発明はこれに限定されるものではない。
【００８４】
［評価用の生理用ナプキンの作製］
（実施例１）
図４〜６に示す吸収体を備えた、図２に示す生理用ナプキン（ナプキン）を作成した。
親水性繊維としてのパルプ繊維及び吸水性ポリマーで構成された吸収性コアの外面全体を坪量１６ｇ／ｍ２の紙製コアラップシートで被覆して、吸収体を作成した。パルプ繊維として針葉樹晒クラフトパルプ（ＮＢＫＰ）を用いた。吸水性ポリマーは、アクリル酸重合体部分ナトリウム塩（株式会社日本触媒社製、アクアリックＣＡＷ）を用い、坪量は２４ｇ／ｍ２とした。
吸収性コアの長さは、全長が３２４ｍｍ、前方コア部が５０ｍｍ、中間コア部が１３０ｍｍ、後方コア部が１４４ｍｍであった。
吸収性コアの幅は、中間コア部で６５ｍｍ、前方コア部及び後方コア部で８０ｍｍとした。パルプ繊維の坪量は、中間コア部の高坪量部で７００ｇ／ｍ２、低坪量部で２００ｇ／ｍ２とし、前方コア部及び後方コア部では２００ｇ／ｍ２とした。
吸収性コアの縦溝部の幅は、中間コア部では１．５ｍｍとした。前方コア部及び後方コア部では、横方向中央部に位置する第１縦溝部とその両側の第２縦溝部が４ｍｍ、さらに両側の横方向側部に位置する第３縦溝部が１．５ｍｍであった。また、横溝部の幅は全て２ｍｍであり、環状溝部の幅は１．５ｍｍであった。
【００８５】
（実施例２）
後方コア部の縦溝部の幅を全て１．５ｍｍとした以外は実施例１と同様に、実施例２のナプキンを作成した。
【００８６】
（比較例）
吸収性コアの幅を全長にわたって８０ｍｍと均一にした以外は実施例２と同様に、比較例のナプキンを作成した。
【００８７】
［評価試験］
実施例１及び２並びに比較例のナプキンについて、各方法により、就寝姿勢における装着者の股間部及び臀部に対するフィット性を評価した。
【００８８】
（ナプキンのヨレ率及び液流れ距離の測定方法）
各実施例及び比較例のナプキンを、成人女性の腰部を再現したナプキン装着用の歩行動作可能な下半身モデルに装着した。装着前に、予め、中間コア部に相当する位置のナプキンの幅Ａを測定した。歩行動作は、脚部に連動するモータによって制御された。
下半身モデルは、中空構造で、女性の膣口に対応する股間部から液体を排出可能な穴を有している。該穴には通液可能なチューブが接続されていて、下半身モデルの外部から所望の液体を導通させて、該穴から排出できるよう設計されている。
下半身モデルに対するナプキンの装着は、生理用ショーツ（花王株式会社製「ロリエアクティブガード(しっかりモード)」、Ｌサイズ）の下半身モデルと対向する面側に、生理用ナプキンを固定することで行った。
ナプキンを装着した状態で、３ｇの馬脱繊維血液を４秒かけてナプキンに注入する操作を３分間隔で４回(測定開始０分後、３分後、６分後、９分後)行い、計１２ｇの馬脱繊維血液を各ナプキンに注入した。なお、測定開始後、最初の５分間は、下半身モデルの両脚を、１分間に１００歩のスピードで動かし、その後の４分間は下半身モデルの両脚を股間幅４２ｍｍの開脚状態で固定した。
馬脱繊維血液は、Ｂ型粘度計（東機産業株式会社製  型番ＴＶＢ−１０Ｍ、測定条件：ローターＮｏ.１９、30rpm、25℃、60秒間）を用いて測定した粘度が８ｍＰａ・ｓになるように、脱繊維馬血（日本バイオテスト株式会社製）の血球・血漿比率を調製したものである。
歩行後、装着したナプキンの変形状態を維持した状態でモデルから取り外し、中間コア部に相当する位置のナプキンの幅Ｂを測定し、以下の式にて、ナプキンのヨレ率を算出した。
ヨレ率＝｛（幅Ａ−幅Ｂ）／幅Ａ｝×１００
また、ナプキンの表面シート上の縦方向における液拡散距離を金尺を用いて測定し、ナプキンの液流れ距離とした。
これらの測定結果を、表１に示す。
【００８９】
【表１】
2019209120.tif 000003
【００９０】
（ナプキンの圧縮力の測定方法）
各実施例及び比較例のナプキンを、生理用ショーツ（花王株式会社製「ロリエアクティブガード(しっかりモード)」、Ｌサイズ）の内側に固定させて、前述の下半身モデルに装着した。
測定前に、予め下半身モデルの股間部の、チューブが接続された穴と脚部付け根との間に、圧力センサー（株式会社テック技販製「小型３軸力覚センサUSL06-H5-50N」）を配置した。
開脚角度を左右各２０°に設定し、ナプキンを装着した後、５°へ変更し、開脚角度５°での圧力センサーの値を読み取った。各サンプルにつき３回の測定を実施し、それらの平均値をナプキンの圧縮力とした。
測定結果を、表１に示す。
【００９１】
（ナプキン後方部の剛性の測定方法）
各実施例及び比較例のナプキンを、中間コア部(幅80mm×長さ100mm)と後方コア部(幅80mm×長さ90mm)に相当する境界部で裁断し、後方コア部を含む側を測定サンプルとして使用した。
各測定サンプルを、温度２３℃、湿度５０％の試験室に２４時間保存した後、ハンドルオメータ法(ＪＩＳ  Ｌ−１０９６)に準じて測定用サンプルの剛性値を測定した。ハンドルオメータは、大栄科学精機製作所製の形式：ＨＯＭ−２００を用いた。
測定サンプルの裏面シート側を上側に向け、かつナプキンの長手方向が幅４０ｍｍのスリットと平行になるように、測定サンプルをハンドルオメータに配置した。そして、吸収性コアの第１縦溝部に相当する位置に、２００ｍｍ／ｍｉｎの一定速度でペネトレーターのブレードを下降させ、指示計（荷重計）が示す最高値を読み取った。各測定サンプルにつき測定は３回実施し、それらの平均値をナプキン後方部の曲げ剛性とした。
測定結果を、表１に示す。
【００９２】
（ナプキン後方部と装着者との隙間の測定方法）
各実施例及び比較例のナプキンを、生理用ショーツ（花王株式会社製「ロリエアクティブガード(しっかりモード)」、Ｌサイズ）の内側に固定させて、成人女性の就寝時の腰部を再現したナプキン装着用の透明モデルに装着した。
ナプキンを装着した後、モデル肌面とナプキン表面の間隔を金尺を用いて測定し、装着者との隙間とした。測定位置は、透明モデルの臀部を床面に接地させた状態（仰向け状態）で、真横から見てモデルの臀部肌面とナプキン表面が最も離間した位置とした。
測定結果を、表１に示す。
【００９３】
（ナプキンの圧縮力及びヨレ率の測定結果）
表１に示すように、比較例では、圧縮力が１．３０Ｎであったが、実施例１及び２では、圧縮力がそれぞれ０．７１Ｎ及び０．７２Ｎであり、比較例よりも小さい値であった。これにより、中間コア部が括れた形状の実施例１及び２のナプキンでは、括れのない比較例１のナプキンと比較して、横方向から圧縮する方向の外力に対する圧縮力（抗力）が小さくなることが確認された。したがって、実施例１及び２のナプキンでは、股間幅が狭まって両脚から外力を受けた場合のヨレが小さくなるものと推認された。
実際に、ナプキンのヨレ率を算出した結果についても、実施例１及び２では、ヨレ率がいずれも５．６％であったが、比較例では１５．０％であり、より大きい値であった。
これらの結果から、実施例１及び２のナプキンでは、中間コア部におけるヨレを防止でき、装着者の股間部におけるフィット性を高められることが確認された。
【００９４】
（ナプキン後方部の剛性及び隙間の測定結果）
表１に示すように、ナプキン後方部の横方向中央部の剛性については、実施例２及び比較例がいずれも７０ｇｆであったにもかかわらず、ナプキン後方部と装着者の隙間は、比較例では１０ｍｍであったのに対し、実施例２で５．７ｍｍであった。更に、実施例１では、ナプキン後方部と装着者の隙間は３．３ｍｍとなっていた。これにより、実施例１及び２のナプキンでは、就寝姿勢の装着者とナプキン後方部との隙間の発生を抑制できることが確認された。また、実施例２のナプキンでは、後方コア部の構成は比較例とほぼ同一であるにもかかわらず、隙間を大きく低減できることが確認された。この結果から、中間コア部に括れを設けることで、後方コア部についても好ましい変形を誘導できることが確認された。
さらに、横方向中央部の第１縦溝部及びその両側の第２縦溝部が側部の第３縦溝部よりも太い実施例１では、縦溝部が全て同一の幅の実施例２と比較して、隙間をより低減できた。これにより、後方コア部において、横方向中央部及びその両側の第１縦溝部及び第２縦溝部を、横方向側部の第３縦溝部に対して太く構成することで、ナプキンの臀部におけるフィット性をより高められることが確認された。
【００９５】
（液流れ距離の測定結果）
表１に示すように、液流れ距離は、比較例では１１１ｍｍであったのに対し、実施例１では６７ｍｍ、実施例２では７６ｍｍであった。この結果から、実施例１及び２のナプキンでは、就寝姿勢における液流れを抑制でき、液漏れを効果的に防止できることが確認された。以上の結果から、実施例１及び２のナプキンでは、ナプキン全体におけるフィット性を高められることが確認された。
【符号の説明】
【００９６】
１…ナプキン（吸収性物品）
１１…吸収体
１２…表面シート
１３…裏面シート
１６…吸収性コア
２０…前方コア部
２１…中間コア部
２２…後方コア部
２３…高坪量部
２４…低坪量部
【図１】
2019209120.tif 000004
【図２】
2019209120.tif 000005
【図３】
2019209120.tif 000006
【図４】
2019209120.tif 000007
【図５】
2019209120.tif 000008
【図６】
2019209120.tif 000009
【図７】
2019209120.tif 000010
【図８】
2019209120.tif 000011